(57)【要約】      （修正有）【課題】異なる指や手首の太さに自由に対応することができ、それぞれの指や手首にジャストフィットする、指輪、ブレスレット等のリング状装身具を提供する。【解決手段】所定幅の可撓性のある帯をリング状に形成して両端を開口させた装身具本体１２と、装身具本体の両端開口部にそれぞれ連結軸１４ａ、ｂを介して回動可能に連結した所定幅の帯からなる連結片１３とを備えたリング状装身具１１であって、連結片が連結軸を介して装身具本体に対して直線上に位置するときは最大の径となり、連結片が連結軸を介して装身具本体に対して回動させて装身具本体に沿って並置させた位置においては最小の径となり、連結片の装身具本体に対する位置により装身具本体の径を調整できるようにした。【選択図】図９
0003222029.tif 000002
【実用新案登録請求の範囲】
【請求項１】
所定幅の可撓性のある帯をリング状に形成して両端を開口させた装身具本体と、前記装身具本体の両端開口部にそれぞれ連結軸を介して回動可能に連結した所定幅の帯からなる連結片とを備えたリング状装身具であって、
前記連結片が前記連結軸を介して前記装身具本体に対して直線上に位置するときは最大の径となり、
前記連結片が前記連結軸を介して前記装身具本体に対して回動させて前記装身具本体に沿って並置させた位置においては最小の径となるようになり、
したがって前記連結片の前記装身具本体に対する位置により装身具本体の径を調整できるようにしたことを特徴とするリング状装身具。
【請求項２】
前記装身具本体の両端開口部に前記連結片を回動可能に連結する連結軸は、前記連結片の両端にそれぞれ取り付けられており、かつ連結軸は前記装身具本体の両端に形成した挿通孔に合致して挿通可能とした係合端部を備えており、該係合端部を前記挿通孔に差し込んだ上で前記連結片を回動させて前記装身具本体の挿通孔から抜けなくなるようにしたことを特徴とする請求項１に記載のリング状装身具。
【請求項３】
前記装身具本体の両端開口部に前記連結片を回動可能に連結する連結軸は、前記装身具本体の両端にそれぞれ取り付けられており、かつ連結軸は前記連結片の両端に形成した挿通孔に合致して挿通可能とした係合端部を備えており、該係合端部を前記挿通孔に差し込んだ上で前記連結片を回動させて前記連結片の挿通孔から抜けなくなるようにしたことを特徴とする請求項１に記載のリング状装身具。
【請求項４】
前記装身具本体または連結片の両端に形成した挿通孔は、前記装身具本体または連結片の両端において、前記装身具本体または連結片の長さ方向に沿って複数形成されていることを特徴とする請求項２または３に記載のリング状装身具。
【請求項５】
前記可撓性のある帯からなる装身具本体は、幅方向の両縁を筒状に丸めて形成した補強部を有していることを特徴とする請求項１ないし４のいずれかに記載のリング状装身具。
【考案の詳細な説明】
【技術分野】
【０００１】
本考案は、装身具本体のサイズを任意に調整することができる指輪、ブレスレット等のリング状装身具に関する。
【背景技術】
【０００２】
従来、このような伸縮可能なリング状装身具の先行技術としては、両端を開放するとともに交差させたフリーサイズのブレスレット類があったが、両端がきちんと固定されていないために使用中に手首の周りを回りやすいという欠点があった。
また、所定の長さのチェーンや連珠等の開放端部に板状の装飾片を取り付けたブレスレット類においては、チェーンや連珠等と板状の装飾片との連結に手間がかかる上、やはり変形して手首の周りをまわりやすいという欠点があったのである。
【０００３】
また、特開平８−５２０１５号公報（特許文献１参照）があり、直線状に延びる２本のプレート部材をそれぞれの中央部においてＸ状に交差させ、その交差点で軸を介して回動可能に連結してクロスユニットを形成し、このクロスユニットの複数個を一方向に連ねて互いに対して回動可能に連結したもので、このような構造を有する伸縮アームは、直線的な方向に沿って伸縮可能となる。
【先行技術文献】
【特許文献】
【０００４】
【特許文献１】特開平８−５２０１５号公報
【考案の概要】
【考案が解決しようとする課題】
【０００５】
しかしながら、前記伸縮可能なリング状装身具においては、クロスユニットのＸ状部分において指や手首に突き当たり、装着時の使用感が全然良好ではなかった。
また、伸縮可能ではあるものの、指や手首にぴったりマッチしたサイズを得にくいという問題があった。
【０００６】
本考案は、このような従来例の課題に鑑みて開発されたものであり、その目的とするところは、異なる指や手首の太さに自由に対応することができ、それぞれの指や手首にジャストフィットする、指輪、ブレスレット等のリング状装身具を提供しようとするものである。
【課題を解決するための手段】
【０００７】
上記の目的を達成するため、本考案のリング状装身具は、所定幅の可撓性のある帯をリング状に形成して両端を開口させた装身具本体と、前記装身具本体の両端開口部にそれぞれ連結軸を介して回動可能に連結した所定幅の帯からなる連結片とを備えたリング状装身具であって、
前記連結片が前記連結軸を介して前記装身具本体に対して直線上に位置するときは最大の径となり、
前記連結片が前記連結軸を介して前記装身具本体に対して回動させて前記装身具本体に沿って並置させた位置においては最小の径となるようになり、
したがって前記連結片の前記装身具本体に対する位置により装身具本体の径を調整できるようにしたことを特徴とするものである。
【０００８】
本考案のリング状装身具において、前記装身具本体の両端開口部に前記連結片を回動可能に連結する連結軸は、前記連結片の両端にそれぞれ取り付けられており、かつ連結軸は前記装身具本体の両端に形成した挿通孔に合致して挿通可能とした係合端部を備えており、該係合端部を前記挿通孔に差し込んだ上で前記連結片を回動させて前記装身具本体の挿通孔から抜けなくなるようにしたことをも特徴とするものである。
【０００９】
本考案のリング状装身具において、前記装身具本体の両端開口部に前記連結片を回動可能に連結する連結軸は、前記装身具本体の両端にそれぞれ取り付けられており、かつ連結軸は前記連結片の両端に形成した挿通孔に合致して挿通可能とした係合端部を備えており、該係合端部を前記挿通孔に差し込んだ上で前記連結片を回動させて前記連結片の挿通孔から抜けなくなるようにしたことをも特徴とするものである。
【００１０】
本考案のリング状装身具において、前記装身具本体または連結片の両端に形成した挿通孔は、前記装身具本体または連結片の両端において、前記装身具本体または連結片の長さ方向に沿って複数形成されていることをも特徴とするものである。
【００１１】
本考案のリング状装身具において、前記可撓性のある帯からなる装身具本体は、幅方向の両縁を筒状に丸めて形成した補強部を有していることをも特徴とするものである。
【考案の効果】
【００１２】
請求項１のリング状装身具は以上のように構成されているので、予め大きい径の状態で指や手首にはめ込み、前記連結片を前記装身具本体に対して回動させて前記装身具本体に沿って並置させた最小の径の状態で指や手首にジャストフィットさせて装着することができる。
しかも、連結軸を介した拡縮は簡単に行うことができ、装身具が拡縮してもその形状は指や手首に沿った形状が保たれる。これにより、得たリング状装身具は、どのような太さの指あるいは手首、腕にもジャストフィットさせることができる。
もちろん、前述のように指や手首にジャストフィットさせるために、前記装身具本体を指や手首の断面に応じた楕円形断面に形成しておくことは望ましいことである。
そして指や手首にジャストフィットさせておけば、前記装身具本体や連結片の適所に取り付けたダイヤ等の宝石が所定位置からずれたり、指や手首等を傷つけたりするおそれがない。
【００１３】
請求項２ないし３のリング状装身具によれば、前記連結軸は前記装身具本体または連結片の両端に形成した挿通孔に合致して挿通可能とした係合端部を備えており、該係合端部を前記挿通孔に差し込んだ上で前記連結片を回動させて前記装身具本体または連結片の挿通孔から抜けなくなるようにしてあるので、前記連結片を前記装身具本体の両端に簡単に取り付け、取り外すことができる。
【００１４】
請求項４のリング状装身具によれば、前記装身具本体または連結片の両端に形成した挿通孔が前記装身具本体または連結片の両端において、前記装身具本体または連結片の長さ方向に沿って複数形成されている。したがってどの挿通孔にはめ込むかにより、得たリング状装身具は、どのような太さの指あるいは手首、腕にもジャストフィットさせることができる。
【００１５】
請求項５のリング状装身具によれば、前記可撓性のある帯からなる装身具本体は、幅方向の両縁を筒状に丸めて形成した補強部を有することにより、得たリング状装身具は、前記連結片の回動の際の負荷にも問題なく耐えることができ、指や手首への装着時の感触も大幅に改善することができる。
【図面の簡単な説明】
【００１６】
【図１】本実施例のブレスレットの最大径の場合を示す概略平面図である。
【図２】その概略底面図である。
【図３】その概略斜視図である。
【図４】その概略側面図である。
【図５】その概略中央断面図である。
【図６】連結片を直角の位置まで回動した状態を示す概略平面図である。
【図７】その概略底面図である。
【図８】その概略側面図である。
【図９】その概略斜視図である。
【図１０】連結片を装身具本体に沿うように回動した状態を示す概略平面図である。
【図１１】その概略底面図である。
【図１２】その概略側面図である。
【図１３】その概略斜視図である。
【図１４】ブレスレットが最大径のときに手首にはめ込んだ状態を示す概略斜視図である。
【図１５】連結片を直角の位置まで回動した状態を示す概略斜視図である。
【図１６】連結片を装身具本体に沿うように回動した状態を示す概略斜視図である。
【図１７】本発明の他の実施例のブレスレットを示すものであって、連結片を装身具本体に取り付けようとする状態を示す分解状態の概略斜視図である。
【図１８】（ａ）は装身具本体の端部の最も外側の挿通孔に連結軸をはめ込む場合の概略説明図、（ｂ）は装身具本体の端部の外側から３番目の挿通孔に連結軸をはめ込む場合の概略説明図である。
【図１９】（ａ）は装身具本体の挿通孔に連結軸をはめ込んだ状態の概略斜視図（ｂ）はその概略説明図である。
【図２０】その際の前記連結片を回動させる操作を示すものであり、（ａ）ははめ込もうとする状態の概略斜視図、（ｂ）ははめ込んで回動させた状態の概略斜視図である。
【図２１】本発明のさらに別の実施例のブレスレットを示すものであって、連結片を装身具本体に取り付けようとする状態を示す分解状態の概略斜視図である。
【図２２】（ａ）は装身具本体の端部の最も外側の挿通孔に連結軸をはめ込む場合の概略説明図、（ｂ）は装身具本体の端部の外側から３番目の挿通孔に連結軸をはめ込む場合の概略説明図である。
【図２３】装身具本体と連結片とを直線状に伸ばした状態の概略平面図である。
【考案を実施するための形態】
【００１７】
以下、本考案における指輪やブレスレット等のリング状装身具の一実施例について、図面に従って詳述する。
図１ないし図１６は本考案を適用したブレスレットの一実施例を示すものである。
図１ないし図５に示すように、本実施例のリング状装身具１１は、所定幅の可撓性のある帯をリング状に形成して両端を開口させた装身具本体１２と、前記装身具本体１２の両端開口部１２ａ，１２ｂにそれぞれ連結軸１４ａ，１４ｂを介して回動可能に連結した所定幅の帯からなる連結片１３とを備えたものである。なお本実施例では前記連結軸１４ａ，１４ｂは前記連結片１３の両端の下面に突出するよう形成されている。
そして、前記リング状装身具１１は前記連結片１３が前記連結軸１４ａ，１４ｂを介して前記装身具本体１２に対して直線上に位置するときは最大の径となるのである。
【００１８】
また前記装身具本体１２と連結片１３とは、連結軸１４ａ，１４ｂを介して回動可能に連結されている。
すなわち、前記連結片１３は前記連結軸１４ａ，１４ｂを介して前記装身具本体１２に対して回動させることができる。図６ないし図９は前記連結片１３を前記装身具本体１２に対して直角になる位置まで回動させた状態を示す。
図１０ないし図１３は、前記連結片１３を前記連結軸１４ａ，１４ｂを介して前記装身具本体１２に対してさらに回動させ、連結片１３を装身具本体１２に沿うまで回動した状態を示す。
このように前記連結片１３を装身具本体１２に沿って並置させた位置においては最小の径となるようになるのであり、装着者の手首にぴったりフィットさせることができるのである。
したがって前記連結片１３の前記装身具本体１２に対する位置により装身具本体１２の径を調整できるようにしたことが本実施例の特徴である。
なお、前述のように指や手首にジャストフィットさせるために、前記装身具本体１２を指や手首の断面に応じた楕円形断面に形成しておくことは望ましいことである。
そして指や手首にジャストフィットさせておけば、前記装身具本体１２や連結片１３適所に取り付けたダイヤ等の宝石（図示省略）が所定位置からずれたり、指や手首等を傷つけたりするおそれがない。
【００１９】
図１４ないし図１６は本実施例のリング状装身具１１を装着者の手首にはめ込む手順を説明するためのものである。
（１）まず図１４に示すように、前記連結片１３を前記装身具本体１２に対して直線上に位置するようにした前記リング状装身具１１が最大の径となっている状態で、装着者の手首にはめ込む。
（２）次に図１５に示すように、前記連結片１３を前記連結軸１４ａ，１４ｂを介して前記装身具本体１２に対して直角となる位置まで回動させる。
（３）最後に、図１６に示すように、前記連結片１３を前記連結軸１４ａ，１４ｂを介して前記装身具本体１２に対してさらに回動させ、連結片１３を装身具本体１２に沿うまで回動すれば操作完了である。
【００２０】
図１７ないし図２０は本考案のリング状装身具２１の他の実施例を示すものであり、装身具本体２２の両端開口部２２ａ，２２ｂに連結片２３を回動可能に連結する連結軸２４ａ，２４ｂは、前記装身具本体２２の両端に形成した挿通孔２５に合致して挿通可能とした係合端部２６を備えており、該係合端部２６を前記挿通孔２５に差し込んだ上で前記連結片２３を回動させれば、前記連結軸２４ａ，２４ｂは装身具本体２２の挿通孔２５から抜けなくなるのである。
【００２１】
本実施例のリング状装身具２１においては、前記装身具本体２２の両端に形成した挿通孔２５は、前記装身具本体２２の両端において、前記装身具本体２２の長さ方向に沿って複数形成されている。
そして、図１８（ａ）では前記装身具本体２２の端部の最も外側の挿通孔２５に連結軸２４ａ，２４ｂをはめ込む場合を、図１８（ｂ）は前記装身具本体２２の端部の外側から３番目の挿通孔２４に連結軸２４ａ，２４ｂをはめ込む場合を示すものである。
図１９（ａ）は前記装身具本体２２の端部の最も外側の挿通孔２５に連結軸２４ａ，２４ｂをはめ込んだ状態の斜視図であり、図１９（ｂ）は前記装身具本体２２の端部の外側から３番目の挿通孔２４に連結軸２４ａ，２４ｂをはめ込んだ状態の説明図である。
【００２２】
本実施例のリング状装身具２１においては、図１８ないし図１９に示すように前記可撓性のある帯からなる装身具本体２２は、幅方向の両縁を筒状に丸めて形成した補強部２７を有している。
こうすることにより、得たリング状装身具２１は、前記連結片２３の回動の際の負荷にも問題なく耐えることができ、指や手首への装着時の感触も大幅に改善することができる。
【００２３】
図２１ないし図２３は本考案のリング状装身具３１のさらに別の実施例を示すものであり、装身具本体３２の両端開口部３２ａ，３２ｂに取り付けた連結片３３を回動可能に連結する連結軸３４ａ，３４ｂは、前記連結片３３の両端に形成した挿通孔３５に合致して挿通可能とした係合端部３６を備えており、該係合端部３６を前記挿通孔３５に差し込んだ上で前記連結片３３を回動させれば、前記連結軸３４ａ，３４ｂは連結片３３の挿通孔３５から抜けなくなるのである。
【００２４】
本実施例のリング状装身具３１においては、前記連結片３３の両端に形成した挿通孔３５は、前記連結片３３の両端において、前記連結片３３の長さ方向に沿って複数形成されている。
そして、図２１（ａ）では前記連結片３３の端部の最も外側の挿通孔３５に連結軸３４ａ，３４ｂをはめ込む場合を、図２１（ｂ）は前記連結片３３の端部の外側から３番目の挿通孔３５に連結軸３４ａ，３４ｂをはめ込む場合を示すものである。
そして以上のように、前記連結片３３の端部の挿通孔３５に前記装身具本体３２に取り付けた連結軸３４の係合端部３６をはめ込むようにした場合、前記連結片３３として種々の装飾を施したいろいろなパターンを準備しておいて取換え可能とすることができる。
したがって、購入した者は単一の装身具本体３２を用いて様々なパターンのブレスレットを着用することが可能となった。
【００２５】
なお、本実施例ではブレスレットについて説明したが、本考案の構成は前記装身具本体１２，２２，３２や前記連結片１３，２３，３３のサイズや片数を適宜に変更することで、容易に指輪やバングル等の腕輪に適用することができる。
【産業上の利用可能性】
【００２６】
以上の説明で明らかなとおり、本考案の指輪、ブレスレット等のリング状装身具によれば、装身具自身のデザインとして利用することができるため、今までにない斬新なデザインを楽しむことができる。また、連結片や連結軸に宝石、貴石、貴金属等の装飾部材を配することで、装身具本体の商品価値を高めることができると共に独自の個性を得ることができる。
【符号の説明】
【００２７】
１１  リング状装身具
１２  装身具本体
１２ａ，１２ｂ  両端開口部
１３  連結片
１４ａ，１４ｂ  連結軸
２１  リング状装身具
２２  装身具本体
２２ａ，２２ｂ  両端開口部
２３  連結片
２４ａ，２４ｂ  連結軸
２５  挿通孔
２６  係合端部
２７  補強部
３１  リング状装身具
３２  装身具本体
３２ａ，３２ｂ  両端開口部
３３  連結片
３４ａ，３４ｂ  連結軸
３５  挿通孔
３６  係合端部
【図１】
0003222029.tif 000003
【図２】
0003222029.tif 000004
【図３】
0003222029.tif 000005
【図４】
0003222029.tif 000006
【図５】
0003222029.tif 000007
【図６】
0003222029.tif 000008
【図７】
0003222029.tif 000009
【図８】
0003222029.tif 000010
【図９】
0003222029.tif 000011
【図１０】
0003222029.tif 000012
【図１１】
0003222029.tif 000013
【図１２】
0003222029.tif 000014
【図１３】
0003222029.tif 000015
【図１４】
0003222029.tif 000016
【図１５】
0003222029.tif 000017
【図１６】
0003222029.tif 000018
【図１７】
0003222029.tif 000019
【図１８】
0003222029.tif 000020
【図１９】
0003222029.tif 000021
【図２０】
0003222029.tif 000022
【図２１】
0003222029.tif 000023
【図２２】
0003222029.tif 000024
【図２３】
0003222029.tif 000025